(57)【要約】【課題】着脱式不揮発性記憶装置において、秘密情報の漏洩を完全に防止する。【解決手段】制御装置１に電池５を設ける。記憶装置２には、初期化用制御装置７と電池６を設ける。制御装置１と記憶装置２を、コネクタ３，４で接続する。電池５によって、コネクタ３，４の特定のピンの電圧を常に一定に保つ。記憶装置２の初期化用制御装置７では、このピンの電圧を常に監視する。コネクタ３，４を取り外し、特定のピンの電圧レベルが接地レベルあるいはハイインピーダンスとなった場合、初期化用制御装置７は、記憶装置２を初期化してデータを消去する。【選択図】図１
2006252021.tif 000002
【特許請求の範囲】
【請求項１】
データの演算処理が可能な主装置にコネクタを介して着脱可能に接続されるデータ保護機能付不揮発性記憶装置であって、電池と、前記主装置との接続の有無を検出する接続検出手段と、接続断を前記接続検出手段により検出したことに応じて記憶内容を消去する初期化制御手段とを具備することを特徴とするデータ保護機能付不揮発性記憶装置。
【請求項２】
前記接続検出手段に、前記コネクタの特定のピンに出力される接続標示電圧を監視する手段を設け、前記初期化制御手段に、前記接続標示電圧が所定値でなくなったことを検出して記憶素子を初期化する手段を設けたことを特徴とする請求項１記載のデータ保護機能付不揮発性記憶装置。
【請求項３】
データの演算処理が可能な主装置にコネクタを介して着脱可能に接続されるデータ保護機能付不揮発性記憶装置であって、電池と、接続先の主装置の異同を検出する手段と、異なる主装置への接続の検出に応じて記憶内容を消去する初期化制御手段とを具備することを特徴とするデータ保護機能付不揮発性記憶装置。
【請求項４】
前記接続検出手段に、前記コネクタの特定のピンに出力される主装置識別信号を監視する手段を設け、前記初期化制御手段に、前記主装置識別信号が変化したことを検出して記憶素子を初期化する手段を設けたことを特徴とする請求項３記載のデータ保護機能付不揮発性記憶装置。
【発明の詳細な説明】
【技術分野】
【０００１】
本発明は、データ保護機能付不揮発性記憶装置に関し、特に、複写機・プリンタ等のコントローラ基板やパソコンのマザーボード等の電子制御システムに着脱可能に接続されるデータ保護機能付不揮発性記憶装置に関する。
【背景技術】
【０００２】
プリンタやパソコン等に搭載されている記憶装置には、ユーザーの個人情報や機密文書等、他に漏れてはならない秘密情報が格納されている。秘密情報を記憶した記憶装置が、DRAMのように揮発性のメモリであれば、取り外したときにデータが消去されるので問題はない。しかし、フラッシュメモリのように不揮発性のメモリの場合は、取り外してもデータは消去されない。装置に搭載された不揮発性の記憶装置を取り外して、他の装置に装着することで、データを容易に流用することができる。これを防ぐために、データを暗号化したり、読み出しのための秘密鍵を設けたりして、他の装置では読み出せないようにしている。
【０００３】
特許文献１に開示された「ファクシミリ装置」は、圧縮後の画像データにダミーデータを挿入して、画像データの秘密保持を安価かつ効率的に行うファクシミリ装置である。スキャナで読み取った画像データを、MMR方法などで圧縮する。圧縮した画像データの先頭位置などに、所定のダミーデータを挿入する。このデータを画像メモリに一旦蓄積し、通信制御部から受信側に送信する。受信側のファクシミリ装置は、受信画像データを伸長する前に、挿入されているダミーデータを削除する。
【特許文献１】特開2001-119588号公報
【発明の開示】
【発明が解決しようとする課題】
【０００４】
しかし、従来の着脱式不揮発性記憶装置では、データを消去しないので、何らかの形で読み出すことが可能であるという問題がある。
【０００５】
本発明の目的は、上記従来の問題を解決して、着脱式不揮発性記憶装置において、秘密情報の漏洩を完全に防止することである。
【課題を解決するための手段】
【０００６】
上記の課題を解決するために、本発明では、データの演算処理が可能な主装置にコネクタを介して着脱可能に接続されるデータ保護機能付不揮発性記憶装置に、電池と、主装置との接続の有無を検出する接続検出手段と、接続断を接続検出手段により検出したことに応じて記憶内容を消去する初期化制御手段とを具備する構成とした。
【発明の効果】
【０００７】
上記のように構成したことにより、着脱式不揮発性記憶装置から秘密情報が漏洩することを完全に防止できる。
【発明を実施するための最良の形態】
【０００８】
以下、本発明を実施するための最良の形態について、図１〜図４を参照しながら詳細に説明する。
【実施例１】
【０００９】
本発明の実施例１は、制御装置に接続するコネクタの特定のピンの接続標示電圧を監視し、その電圧が所定値でなくなったことを検出して記憶データを消去する記憶装置である。
【００１０】
図１は、本発明の実施例１における記憶装置の構成を示す概念図である。図１において、制御装置１は、データの演算処理が可能な主装置であり、複写機・プリンタ等のコントローラ基板やパソコンのマザーボード等の電子制御システムである。記憶装置２は、不揮発性の記憶装置である。フラッシュメモリなどのような１チップのメモリでもよいし、HDDなどの機械的な装置でもよい。電池でデータ保持されるCMOSメモリでもよい。コネクタ３，４は、制御装置と記憶装置を接続する手段である。ケーブルコネクタでもよいし、LSIソケットでもよい。電池５は、制御装置の電源が切れている場合でも、コネクタのピンに常に一定電圧（接続標示電圧）を出力するための電源である。電池６は、記憶装置の初期化のための電源である。初期化用制御装置７は、制御装置との接続の有無を検出する接続検出手段であり、接続断を検出したとき記憶装置を初期化するための手段である。図２は、記憶装置の動作手順を示す流れ図である。
【００１１】
上記のように構成された本発明の実施例１における記憶装置の動作を説明する。最初に、図１を参照しながら、記憶装置の機能の概略を説明する。制御装置１に電池５を備える。電池でなくても、単体で電圧を維持できる素子であれば、コンデンサなどでもよい。記憶装置２には、初期化用制御装置７と、初期化用制御装置７を駆動するための電池６を備える。これも、十分な容量のコンデンサでもよい。制御装置１と記憶装置２は、コネクタ３，４で接続される。
【００１２】
制御装置１の電池５によって、コネクタ３，４の特定のピンの電圧を常に一定（接続標示電圧）に保つ。記憶装置２の初期化用制御装置７では、このピンの電圧を常に監視する。コネクタ３，４を取り外し、特定のピンの電圧レベルが接地レベル（プルダウンの場合）あるいはハイインピーダンス（オープンの場合）となった場合、初期化用制御装置７は、記憶装置２を初期化してデータを消去する。
【００１３】
次に、図２を参照しながら、記憶装置の動作手順を説明する。記憶装置２を、制御装置１にコネクタ３，４を介して接続すると、制御装置１からコネクタ３，４の特定のピンに一定の接続標示電圧が出力される。記憶装置２の初期化用制御装置７は、この電圧を常に監視している。ステップ１において、制御装置１から記憶装置２にデータが書き込まれる。ステップ２において、初期化用制御装置７は、接続標示電圧を検査する。ステップ３において、特定のピンに接続標示電圧が検出されれば、ステップ４において、記憶装置２のデータを保持する状態を継続し、ステップ２に戻る。
【００１４】
ステップ３において、特定のピンに接続標示電圧が検出されず、それが接地レベルかハイインピーダンスであれば、コネクタ接続が切れたと判断して、ステップ５において、記憶装置２のデータを初期化する。この後は待機状態となる。
【００１５】
上記のように、本発明の実施例１では、記憶装置を、制御装置に接続するコネクタの特定のピンの接続標示電圧を監視し、その電圧が所定値でなくなったことを検出して記憶データを消去する構成としたので、着脱式不揮発性記憶装置から秘密情報が漏洩することを完全に防止できる。
【実施例２】
【００１６】
本発明の実施例２は、制御装置に接続するコネクタの特定のピンの識別信号を監視し、その信号が変化したことを検出して記憶データを消去する記憶装置である。
【００１７】
図３は、本発明の実施例２における記憶装置の構成を示す概念図である。実施例２の基本的な構成は実施例１と同様である。図３において、初期化用制御装置７は、制御装置の異同を検出する接続検出手段であり、異なる制御装置に接続されたことを検出したとき記憶装置を初期化するための手段である。装置識別信号記憶手段８は、制御装置の固有の識別信号（主装置識別情報）を記憶しておくメモリである。FRAM９は、接続相手の制御装置の識別信号を記憶しておくメモリである。他の不揮発性メモリでもよい。その他の構成は、実施例１と同様である。図４は、記憶装置の動作手順を示す流れ図である。
【００１８】
上記のように構成された本発明の実施例２における記憶装置の動作を説明する。最初に、図３を参照しながら、記憶装置の機能の概略を説明する。制御装置１に装置識別信号記憶手段８を備える。制御装置１の固有の識別信号（主装置識別情報）を記憶しておく。記憶装置２には、初期化用制御装置７と、初期化用制御装置７を駆動するための電池６と、FRAM９を備える。制御装置１と記憶装置２は、コネクタ３，４で接続される。
【００１９】
記憶装置２がコネクタ３，４により制御装置１に接続されると、記憶装置２の初期化用制御装置７では、コネクタ３，４の特定のピンを介して、制御装置１の装置識別信号記憶手段８から、制御装置の固有の識別信号（主装置識別情報）を読み出す。読み出した識別信号が、FRAM９に記憶されている識別信号と異なる場合、初期化用制御装置７は、記憶装置２を初期化してデータを消去する。
【００２０】
次に、図４を参照しながら、記憶装置の動作手順を説明する。ステップ11において、記憶装置２を、制御装置１にコネクタ３，４を介して接続すると、ステップ12において、制御装置１の装置識別信号記憶手段８から、主装置識別情報を読み出す。ステップ13において、読み出した識別信号と、FRAM９に記憶されている識別信号とを比較する。一致する場合は、ステップ14において、記憶データを保持する状態を維持する。一致しない場合は、ステップ15において、記憶装置２のデータを初期化し、ステップ16において、読み込んだ主装置識別情報をFRAM９に記憶する。
【００２１】
なお、別の主装置識別情報を記憶した記憶装置２が接続されたことを制御装置１側で判断して、記憶装置２のデータを初期化するようにしてもよい。この場合、不注意な誤接続などによるデータの漏洩は防止できるが、悪意のデータ読み出しには対処できないので、データ保護は完全ではない。
【００２２】
上記のように、本発明の実施例２では、記憶装置を、制御装置に接続するコネクタの特定のピンの識別信号を監視し、その信号が変化したことを検出して記憶データを消去する構成としたので、着脱式不揮発性記憶装置が異なる装置に接続されても、秘密情報の漏洩を完全に防止できる。記憶装置を取り外しただけでは初期化されないので、１つの制御装置に複数の着脱式不揮発性記憶装置を交互に接続して利用することができ、秘密情報も守ることができる。
【産業上の利用可能性】
【００２３】
本発明のデータ保護機能付不揮発性記憶装置は、複写機・プリンタ等のコントローラ基板やパソコンのマザーボード等、他に漏れてはならない秘密情報を記憶した着脱可能な記憶装置を利用する電子制御システム用の記憶装置として最適である。
【図面の簡単な説明】
【００２４】
【図１】本発明の実施例１における記憶装置の構成を示す概念図である。
【図２】本発明の実施例１における記憶装置の動作手順を示す流れ図である。
【図３】本発明の実施例２における記憶装置の構成を示す概念図である。
【図４】本発明の実施例２における記憶装置の動作手順を示す流れ図である。
【符号の説明】
【００２５】
１・・・制御装置、２・・・記憶装置、３・・・コネクタ、４・・・コネクタ、５・・・電池、６・・・電池、７・・・初期化用制御装置、８・・・装置識別信号記憶手段、９・・・FRAM。
【図１】
2006252021.tif 000003
【図２】
2006252021.tif 000004
【図３】
2006252021.tif 000005
【図４】
2006252021.tif 000006